(57)【要約】【課題】着用感が良好で、外観上もがきれいであり、運動時には乳房の揺れを押える女性用上衣を提供する。【解決手段】伸縮性を有する生地４０からなり、横方向に並ぶ２個のカップ２２が生地に重ねて設けられている前身頃１２を有する。前身頃１２の両脇に連結されて環状となる後身頃１４と、前身頃１２の肩部に連続し後身頃１４に連結される一対の肩紐１６を有する。生地４０は、伸長応力が弱く締め付け力が低い低緊締部４２と、低緊締部４２と比較して高い伸長応力を有する高緊締部４４から成る。低緊締部４２により、カップ２２が重ねられている部分に、伸びが良好でカップ２２の形状に沿う伸展部３２を形成する。高緊締部４４により、一対のカップ２２の湾曲した下側の側縁部に沿って設けられ、両端部がカップ２２から後方に延出する帯状のカップ支持部３４を備える。一対のカップ２２の上側の側縁部から肩部に達する帯状の一対の引き上げ部３８を備える。【選択図】図１
2019019422.tif 000002
【特許請求の範囲】
【請求項１】
伸縮性を有する生地からなり、横方向に並ぶ２個のカップが前記生地に重ねて設けられている前身頃と、前記前身頃の両脇に連結されて環状となる後身頃と、前記前身頃の肩部に連続し前記後身頃に連結される一対の肩紐が設けられ、
前記生地は伸長応力が弱く締め付け力が低い低緊締部と、前記低緊締部と比較して高い伸長応力を有する高緊締部を有し、
前記低緊締部により、前記カップが重ねられている部分に、伸びが良好で前記カップの形状に沿う伸展部が形成され、
前記高緊締部により、前記一対のカップの湾曲した下側の側縁部に沿って設けられ両端部が前記カップから後方に延出する帯状のカップ支持部と、前記一対のカップの上側の側縁部から前記肩部に達する帯状の一対の引き上げ部が形成されていることを特徴とする女性用上衣。
【請求項２】
前記一対のカップの上端部と、前記一対の引き上げ部の基端部で囲まれた区画に、前記高緊締部により、乳房の跳ね上げを押える跳ね上げ防止部が形成されている請求項１記載の女性用上衣。
【請求項３】
前記カップ支持部は、前記カップの乳頭から脇の斜め下方に向かう方向に延出し、前記カップと反対側の端部は、前記前身頃の下端部に達している請求項１記載の女性用上衣。
【請求項４】
前記後身頃の、後中心を除く両脇の部分に、前記低緊締部により、着用者の背面に弱い引き締め力で当接する背面保持部が形成されている請求項１記載の女性用上衣。
【請求項５】
前記前身頃の、身体側となる裏面には裏布が設けられ、前記裏布は伸縮性を有する前記生地からなり、前記低緊締部と前記高緊締部を有し、前記カップは前記裏布に形成された開口部に取り付けられ、前記伸展部は前記前身頃に設けられ、前記高緊締部による前記カップ支持部、前記引き上げ部、前記跳ね上げ防止部は、前記前身頃と前記裏布の一方又は両方に設けられている請求項１記載の女性用上衣。
【請求項６】
前記生地は、前記高緊締部に沿う方向に、前記生地が伸びにくい縦方向が一致している請求項１記載の女性用上衣。
【請求項７】
前記生地は、抜腐剤が任意の柄で印刷され、印刷する柄の形状や面積を変えて前記繊維が溶ける量を変え、所定の形状で所望の伸長応力が設定されている請求項１記載の女性用上衣。
【発明の詳細な説明】
【技術分野】
【０００１】
この発明は、運動時等に着用する女性用上衣に関する。
【背景技術】
【０００２】
従来、例えば運動する際に着用するスポーツ用のブラジャーは、乳房の形を整えるとともに運動時の乳房の揺れを抑えることが求められる。従来、乳房の揺れを軽減するため、全面的に緊締力が高いパワーネット等が設けられているものがある。その他に、部分的に緊締力の高い素材を設ける等、いろいろな構造が考えられている。
【０００３】
例えば、特許文献１に開示されている乳房保護機能付き女性用衣類は、ストレッチ性のある素材からなるテープを、肌側フロント布と前側フロント布の間に介在させている。そして、脇下テープと前下テープの端部をフロント布部のアンダーテープに縫着し、脇上テープはフロント布部の脇側バイアステープに、前上テープはフロント布部の前中心側バイアステープに、それぞれ縫着している。さらに、乳上テープは、ショルダー布部のバイアステープに、縫着しているものである。これにより、乳頭の位置するトップ領域から乳腺の方向に沿う部分がサポートされる。
【０００４】
特許文献２に開示されている伸縮性に乏しい支持体を備えた衣料品は、ユーザーの乳房のための所定の形状を備えた付形区分と、この付形区分に接合され又は付形区分上に形成され伸縮性に乏しいコンポーネントとを有している。この伸縮性に乏しいコンポーネントは、布上にスクリーン印刷されて設けられているものである。
【先行技術文献】
【特許文献】
【０００５】
【特許文献１】特許２９３０９３２号公報
【特許文献２】特開２０１５−６３７７５号公報
【発明の概要】
【発明が解決しようとする課題】
【０００６】
従来のスポーツ用のブラジャーのように、全面的に伸長応力が高いパワーネット等が設けられている場合、面で全体的に締めているため、乳房を面で押さえつけるものであり、着用感が良くない。しかし、パワーネットを弱いものにすると、運動時に乳房に縦揺れと横揺れが生じる。また、パワーネットで強く締めるとカップにへこみが生じ、外観が良くないという問題がある。さらに、強く押さえつけても、乳房は皮膚であり、大胸筋の上でずれるので、揺れを止めることはできないものである。
【０００７】
上記背景技術の特許文献１、２に開示された女性用衣類のように、保護テープや伸縮性に乏しいコンポーネントを設ける場合は、強く圧迫することで乳房の揺れの軽減を図るものであるが、上記と同様に乳房自体を強く圧迫するものであり、同様の弊害がある。また、上記と同様に乳房の形がつぶれて美しくないものである。
【０００８】
この発明は、上記背景技術の問題点に鑑みてなされたものであり、着用感が良好で、外観上もきれいであり、運動時には乳房の揺れを押える女性用上衣を提供することを目的とする。
【課題を解決するための手段】
【０００９】
本発明は、伸縮性を有する生地からなり、横方向に並ぶ２個のカップが前記生地に重ねて設けられている前身頃と、前記前身頃の両脇に連結されて環状となる後身頃と、前記前身頃の肩部に連続し前記後身頃に連結される一対の肩紐が設けられ、前記生地は、伸長応力が弱く締め付け力が低い低緊締部と、前記低緊締部と比較して高い伸長応力を有する高緊締部を有し、前記低緊締部により、前記カップが重ねられている部分に、伸びが良好で前記カップの形状に沿う伸展部が形成され、前記高緊締部により、前記一対のカップの湾曲した下側の側縁部に沿って設けられ両端部が前記カップから後方に延出する帯状のカップ支持部と、前記一対のカップの上側の側縁部から前記肩部に達する帯状の一対の引き上げ部が形成されている女性用上衣である。
【００１０】
前記一対のカップの上端部と、前記一対の引き上げ部の基端部で囲まれた区画に、前記高緊締部により、乳房の跳ね上げを押える跳ね上げ防止部が形成されている。
【００１１】
前記カップ支持部は、前記カップの乳頭から脇の斜め下方に向かう方向に延出し、前記カップと反対側の端部は、前記前身頃の下端部に達している。
【００１２】
前記後身頃の、後中心を除く両脇の部分に、前記低緊締部により、着用者の背面に弱い引き締め力で当接する背面保持部が形成されている。
【００１３】
前記前身頃の、身体側となる裏面には裏布が設けられ、前記裏布は伸縮性を有する前記生地からなり、前記低緊締部と前記高緊締部を有し、前記カップは前記裏布に形成された開口部に取り付けられ、前記伸展部は前記前身頃に設けられている。前記高緊締部による前記カップ支持部、前記引き上げ部、前記跳ね上げ防止部は、前記前身頃と前記裏布の一方又は両方に設けられている。両方に設けられている場合は、互いにほぼ重なる位置に設けられ、形状や伸長応力が異なるものでもよい。
【００１４】
前記生地は、前記高緊締部に沿う方向に、前記生地が伸びにくい縦方向が一致していると良い。さらに、前記生地は、抜腐剤がインクジェット等により任意の柄で印刷され、印刷する柄の形状や面積を変えて前記繊維が溶ける量を変え、所定の形状で所望の伸長応力に設定されているものである。
【発明の効果】
【００１５】
本発明の女性用上衣は、着用感が良好で、外観がきれいに整っており、運動時には乳房の揺れを押えることができる。女性用上衣の生地は、アルカリ減量加工により低緊締部と高緊締部が簡単に任意の形状で設けられ、必要な部分を、適した力と適した形状で引き締めることができる。
【図面の簡単な説明】
【００１６】
【図１】この発明の一実施形態の女性用上衣の斜視図である。
【図２】この実施形態の女性用上衣の前身頃の裏面から見た正面図である。
【図３】この実施形態の女性用上衣の背面図である。
【図４】この実施形態の女性用上衣の表面を構成する各パーツを分解した図である。
【図５】この実施形態の女性用上衣の裏面を構成する各パーツを分解した図である。
【図６】この実施形態女性用上衣の体幹基準総移動距離評価の結果を示すグラフである。
【図７】この実施形態の女性用上衣と比較例の各着用状態の輪郭を示す図である。
【図８】この実施形態の女性用上衣の着心地評価の結果を示すグラフである。
【図９】この実施形態の女性用上衣の乳房の揺れの評価の結果を示すグラフである。
【発明を実施するための形態】
【００１７】
以下、この発明の実施形態について図面に基づいて説明する。図１〜図３はこの発明の一実施形態を示すもので、この実施形態の女性用上衣１０は、運動時に着用するブラジャーであり、着用者の胸を覆う前身頃１２と、前身頃１２の両方の脇部１２ｅに連続して身体後側を環状に覆う後身頃１４と、前身頃１２の肩部１２ｄに連続し肩にかかる一対の肩紐１６が設けられている。肩紐１６の、前身頃１２の肩部１２ｄと反対側の端部１６ｃは、２個のカン部材３０を介して後身頃１４の上端部１４ａに連結されている。
【００１８】
前身頃１２は、Ｕ字形の襟ぐり１２ａと、左右の脇に連続する一対の袖ぐり１２ｂを有し、襟ぐり１２ａと袖ぐり１２ｂの上端部は肩部１２ｄに達している。肩部１２ｄに連続する肩紐１６は、前身頃１２の肩部１２ｄに連続する端部は肩部１２ｄの幅に一致して幅が広く、肩部１２ｄから少し離れる部分までは徐々に幅が狭くなり、そこから反対側の端部までは一定幅で形成されている。後身頃１４は、前身頃１２の左右の脇部１２ｅに連続する矩形状に形成されている。後身頃１４の下端部１４ｃは前身頃１２の下端部１２ｃと連続し、上端部１４ａは前身頃１２の袖ぐり１２ｂに連続する。
【００１９】
前身頃１２の下端部１２ｃと、後身頃１４の下端部１４ｃには、一本のゴムベルト２４が一周して縫い付けられている。前身頃１２の下端部１２ｃと後身頃１４の下端部１４ｃには、身体の前中心に、上方に凸となる半円形状の透孔２５が各々設けられ、透孔２５の直径が、下端部１２ｃ，１４ｃに一致し、つまりゴムベルト２４の側縁部に一致している。
【００２０】
前身頃１２の襟ぐり１２ａと袖ぐり１２ｂには、縁取り用のテープ２６が取り付けられている。前身頃１２の襟ぐり１２ａに取り付けられたテープ２６は、肩紐１６の身体中央側の側縁部１６ａに連続し、前身頃１２の袖ぐり１２ｂに取り付けられたテープ２６は、肩紐１６の脇側の側縁部１６ｂに連続し、前身頃１２の肩部１２ｄと反対側の端部１６ｃに達している。テープ２６は、肩紐１６の長手方向の途中から、側縁部１６ａ，１６ｂの一対のテープ２６の側縁部が互いに１〜２ｍｍ重なり、重なる部分は平らな縫目２８により一体に縫い合わされている。肩紐１６の端部１６ｃは、２個のカン部材３０を介して長さ調節可能に、後身頃１４の上端部１４ａの中央近傍に取り付けられている。
【００２１】
前身頃１２の、身体側となる裏面には、前身頃１２とほぼ同じ形状の裏布１８が縫い合わされ、２重構造となっている。裏布１８には、図２に示すように、横方向に並んで２個の開口部２０が設けられ、開口部２０には、乳房を覆うカップ２２が縫い合わせられている。裏布１８は、前身頃１２に重ねられて、ゴムベルト２４とテープ２６に縫い付けられている。
【００２２】
前身頃１２、後身頃１４、肩部１６、裏布１８は、伸縮性を有し適度な伸長応力を有し高い緊締力がある生地４０で作られている。生地４０は、部分的に伸長応力が異なるものである。ここで生地４０について説明する。生地４０は、アルカリ減量速度の異なる２種類以上の繊維とポリウレタン繊維とを含む編地からなり、編地の一部に、抜腐剤によるアルカリ減量加工が施され、アルカリ減量速度の異なる２種以上の繊維のうちアルカリ減量速度がより大きい繊維が除去されている。抜腐剤によりアルカリ減量加工された部分は、伸長応力が低下した低緊締部４２となる。なお、アルカリ減量加工されていない部分は高緊締部４４であり、低緊締部４２と比較して高い伸長応力を有している。抜腐剤の塗布は、インクジェット印刷装置により行われ、印刷パターンを変えることでアルカリによる溶かし量をコントロールして伸長応力の低下の強弱を付けることができる。抜腐剤は染料が含まれていてもよく、低緊締部４２に模様を描いてもよい。
【００２３】
次に、生地４０の作成方法について詳しく説明する。まず、アルカリ減量速度の異なる２種類以上の繊維とポリウレタン繊維とを含む編地に、抜腐剤をインクジェット印刷装置により印刷した後、１４０〜１９０度の温度にて約１０分間、熱処理する。抜腐剤は、グアニジン弱酸塩、フェノール類、アルコール類、アルカリ金属水酸化物およびアルカリ土類金属水酸化物等である。その後、公知の洗浄工程を経て生地４０となる。低緊締部４２以外の部分は高緊締部４４となる。なお、アルカリ減量速度の異なる２種類の繊維の例としては、アルカリ減量速度が小さい繊維はナイロン系繊維であり、アルカリ減量速度が大きい繊維はカチオン可染ポリエステル繊維である。なお、２種類の繊維はアルカリ減量速度差が１００％以上であればその他の繊維でも良い。
【００２４】
この実施形態の女性用上衣１０は、生地４０の低緊締部４２により後述する伸展部３２と背面保持部３５が設けられ、高緊締部４４により後述するカップ支持部３４，３７、跳ね上げ防止部３６，３９、引き上げ部３８が設けられている。女性用上衣１０のその他の部分は、低緊締部４２と同様に、アルカリ減量加工が施された部分であり、高緊締部４４よりも伸長応力が低いが、低緊締部４２よりも抜腐剤の面積が小さい印刷パターンでアルカリ減量処理されているため、低緊締部４２よりも伸長応力が高く、締め付け力が中程度であり、特に記述しない。
【００２５】
次に、前身頃１２について図１に基づいて詳しく説明する。図１は、女性用上衣１０を外側から見た斜視図であり、前身頃１２の生地４０が見えている。生地４０には、横方向に並ぶ２か所で、裏布１８に取り付けられた一対のカップ２２が重ねられている部分に、低緊締部４２により伸展部３２が形成されている。伸展部３２は、カップ２２の形状とほぼ同じ楕円形状であり、カップ２２の形状に沿って良好に伸びることができる。一対の伸展部３２の下側の側縁部３２ａの脇側部分には、高緊締部４４によりカップ支持部３４が各々形成されている。カップ支持部３４は、伸展部３２の側縁部３２ａから延出する帯状であり、カップ２２を横方向にホールドするものである。カップ支持部３４の一部は、伸展部３２の中心、つまりカップ２２の乳頭部分から脇の斜め下方に向かう方向に延出し、伸展部３２と反対側の端部３４ａは、前身頃１２の下端部１２ｃの後身頃１４に近い位置に達している。カップ支持部３４の、伸展部３２の側縁部３２ａの上方部分は、伸展部３２から離れて上方に細い幅で延出し、伸展部３２と反対側の端部３４ｂは、襟ぐり１２ａの途中の、鎖骨付近に達している。襟ぐり１２ａの前中心には、高緊締部４４により、跳ね上げ防止部３６が形成されている。跳ね上げ防止部３６は逆三角形であり、運動による乳房の跳ね上げを押えることができる。
【００２６】
次に、裏布１８について、図１、図２に基づいて詳しく説明する。図２は前身頃１２を裏面から見た正面図であり、裏布１８の生地４０が見えている。生地４０には、一対のカップ２２の側縁部３２ａの下側に沿って、高緊締部４４によりカップ支持部３７が形成されている。カップ支持部３７は、湾曲した側縁部２２ａに沿う曲線の帯状に形成され、カップ２２を横方向にホールドするものである。カップ支持部３７の一部は、一対のカップ２２の中心、つまり乳頭部分から脇の斜め下方に向かう方向に各々延出し、カップ２２と反対側の端部３７ａは、裏布１８の下端部１８ｃの後身頃１４に近い位置に達している。一対のカップ２２の上側の側縁部２２ｂの中心より少し脇側に位置する部分には、高緊締部４４により引き上げ部３８が各々形成されている。引き上げ部３８は、カップ２２を上方にホールドするものであり、側縁部２２ｂから肩部１２ｄに達する帯状であり、側縁部２２ｂ側の幅が広く、肩部１２ｄに近づくにつれて狭くなっている。
【００２７】
襟ぐり１２ａの前中心には、高緊締部４４により跳ね上げ防止部３９が形成されている。跳ね上げ防止部３９は、運動による乳房の跳ね上げを押えるものである。跳ね上げ防止部３９は、細い２本の帯状部がＸ字状に交差した形状であり、一対の下端部は、カップ２２の側縁部２２ｂの、中心よりも少し身体前側に近い位置に達し、一対の上端部は、襟ぐり１２ａの鎖骨付近に達し、鎖骨付近を通過する引き上げ部３８にも連続している。
【００２８】
次に、後身頃１４ついて、図３に基づいて詳しく説明する。図３は、女性用上衣１０の背面図であり、前身頃１２の脇部１２ｅと、前身頃１２の脇部１２ｅに連結された後身頃１４の生地４０が見えている。後身頃１４の生地４０には、前身頃１２の脇部１２ｅに接する両端部に、低緊締部４２により背面保持部３５が形成されている。背面保持部３５は、上端部１４ａと下端部１４ｃに囲まれた矩形であり、着用者の背面に弱い引き締め力で当接し、皮膚表面の段差を生じないものである。なお、後身頃１４には裏布が設けられていない。
【００２９】
次に、女性用上衣１０の製造方法について説明する。前身頃１２は、図４に示すように、中心パーツ５０と一対の脇パーツ５２に裁断された生地４０を、縫い合わされて設ける。脇パーツ５２は、乳房を横方向にホールドするため、乳頭から脇の斜め下方に向かう矢印で示す方向と、生地４０が伸びにくい縦方向が一致している。中心パーツ５０と脇パーツ５２の生地４０は、詳しくは１〜６の６段階の伸長応力が異なる緊締部が形成されている。図中１はアルカリ減量加工が施されていない高緊締部４４である。図中６はアルカリ減量加工が最も強く施された低緊締部４２である。図中２〜５は、その中間程度のアルカリ減量加工が施され、数字が大きくなり６に近づくにつれてアルカリ減量加工が強くなる。後身頃１４と肩紐１６の、６段階の伸長応力が異なる緊締部も図４に示す。
【００３０】
裏布１８は、図５に示すように、上パーツ５６と下パーツ５８に裁断された生地４０と、カップ２２を縫い合わせて設ける。下パーツ５８は、乳頭から脇の斜め下方に向かう矢印で示す方向と、生地４０が伸びにくい縦方向が一致している。
【００３１】
図４、図５に示す各パーツで作った前身頃１２と後身頃１４と、肩紐１６、裏布１８を縫い合わせ、ゴムベルト２４、テープ２６、カン部材３０を所定位置に縫い付け、女性用上衣１０となる。前身頃１２と裏布１８の、カップ支持部３４，３７と、跳ね上げ防止部３６，３９は、互いにほぼ重なって位置し、引き締め力が向上している。
【００３２】
この実施形態の女性用上衣１０によれば、必要な部位にのみ必要な引き締め応力を付与しているため、窮屈な感触がなく着用感が良好であり、なおかつ外観をきれいに整えることができる。肩や乳房の着圧が低く、運動しやすい。
【００３３】
前身頃１２の伸展部３２はカップ２２の形状に沿って伸びるため、カップ２２全体を締め付けることがなく、着心地が良く、またカップ２２がへこむことがなく、保形性を保ち、外観が良好である。従って、厚みとホールド感のあるカップ２２を使用することができ、性能を生かすことができる。後身頃１４の背面保持部３５は、弱い力で背中に密着するため、背面の皮膚表面に段差を生じることがなく、外観がすっきりとする。
【００３４】
さらに女性用上衣１０は、運動時には乳房の揺れを防ぐことができる。跳ね上げ防止部３６，３９により、運動による乳房の跳ね上げを押えることができる。特に跳ね上げ防止部３９は、クロス構造で上下左右方向に強く止めることができる。カップ２２は、引き上げ部３８で肩部１２ｄに引き上げられているため、さらに上下方向の揺れを防ぐことができる。またカップ２２は、カップ支持部３７でアンダー側を止めることができ、下側の揺れと、中心側斜め下方向への揺れも抑制することができる。またカップ支持部３４，３７の端部３４ａ，３７ａは、カップ２２の脇の斜め下方に向かって脇後側まで止めることで、脇側の揺れを抑制することができる。
【００３５】
肩紐１６は、肩部１２ｄが幅広に設けられ、長手方向につなぎ目がなく、肌当たりが良好である。肩紐１６の側縁部１６ａ，１６ｂはテープ２６で包まれて外観が良好で耐久性もあり、一対のテープ２６は側縁部が互いに僅かに重なった状態で縫目２８により一体に縫い合わされ、肌に優しく、また折れ曲がりも防止することができる。テープ２６と肩紐１６の生地４０が重ねて縫われているため、着用時の伸びを解消することができる。
【００３６】
高緊締部４４と低緊締部４２は、アルカリ減量加工により生地４０に柄形状で設けられ、細かい区分が簡単に形成され、製造工程が容易であり、複雑な形状で任意の伸長応力を設けることができ、必要な部位に必要な引き締め応力を得ることができる。生地４０の低緊締部４２と高緊締部４４は外観を同じにすることができ、継ぎ目や段差がなく、すっきりとしたデザインにすることができる。生地４０は高緊締部４４以外の部分は低緊締部４２または中程度のアルカリ減量加工が施された部分であり、着脱がしやすい。
【００３７】
なお、この発明の女性用上衣は、スポーツ用ブラジャーである上記実施の形態に限定されるものではなく、この発明の女性用上衣の構成を有するキャミソール等の衣服や水着でも良く、その形態や用途は問わない。さらに、襟ぐりの形状や肩紐の位置など、各部の形状は変更可能である。各低緊締部と各高緊締部の形状は、必要な引き締め力を得るものであれば適宜変更可能である。裏布はなくてもよく、前身頃にカップや引き上げ部が設けられてもよい。生地の低緊締部と高緊締部の形成方法は、インクジェット以外の方法で抜腐剤を印刷してもよく、またアルカリ減量加工以外の手段で伸長応力を変化させても良い。
【実施例】
【００３８】
この実施形態の女性用上衣１０について、着用した被験者が運動を行う時の乳房の揺れについて試験を行った。試験方法は、体幹基準総移動距離評価であり、女性用上衣１０であるブラジャーの左胸にｂ１〜ｂ８の８か所のマークを付け、原点からマークまでの総移動距離（ｍｍ）を測定した。ｂ１〜ｂ８の位置は、乳房ベースライン（外側）と乳頭点との距離の、外側から１／３に印したインナーベースライン上に位置し、乳頭点の水平、垂直、斜め４５°の各放射線の交点である。ｂ１は垂直上方であり、ｂ２は被験者の正面から見て時計回りに４５°であり、以下ｂ３〜ｂ８は時計回りに４５°ずつ移動して乳頭点の周囲を一周する。原点は体幹中心点である。運動条件は、トレッドミルにて９ｋｍ／ｈのランニングである。データ条件は、ランニング動作１０周期分である。被験者は３０代女性でサイズはトップ８８ｃｍ、アンダー７４ｃｍである。比較用の３種類のブラジャーＡ、Ｂ、Ｃについて同様の試験を行い、比較した。この試験の結果を図６に示す。この試験によれば、本願発明のブラジャーは比較用の３種類のブラジャーＡ、Ｂ、Ｃよりも、ｂ１〜ｂ８のいずれの場所も原点からの総移動距離が小さかった。これにより、運動時の乳房の揺れが小さいことが分かる。なお、他の被験者２名でも同等の効果があった。他の被験者のバストサイズはトップ８８ｃｍ〜８１ｃｍ、アンダー７５〜７２ｃｍ）である。
【００３９】
次に、着用時の乳房形状を３Ｄスキャナ画像により、比較用のブラジャーと比べた。この結果、図７に示すように、本発明によるブラジャーは比較用のブラジャーよりも乳房の位置が上がり、形状がきれいであることが確認された。
【００４０】
次に、衣服圧測定評価を行った。試験方法は、接触圧測定器（ＡＭＩ３０３７）を使用し、測定箇所は肩と左乳房上脇側の２か所であり、被験者１０名（サイズ／Ｌサイズ範囲内）、正立位姿勢の静止状態で測定した。比較用の３種類のブラジャーについて、同様の試験を行い比較した。この結果、肩と左乳房上脇側の２か所いずれの場所でも、本発明によるブラジャーは、衣服圧が比較用の３種類のブラジャーよりも低く、肩では最大４０％減少し、左乳房上脇側では最大３０％減少した。このことから、肩にかかる負担が少なく、乳房の圧迫が小さいことが分かった。
【００４１】
次に、官能評価を行った。試験方法は、被験者１０名（サイズ／Ｌサイズ範囲内）がトレッドミルにて９ｋｍ／ｈのランニングを行い、着心地評価を５段階で評価した。１は着心地が悪く、数字が大きいほど着心地が良くなり、最高が５であり、１０人の評価の合計を出した。比較用の３種類のブラジャーＡ、Ｂ、Ｃについて同様の試験を行い、比較した。この結果を図８に示す。これにより、本発明によるブラジャーは、比較用の３種類のブラジャーＡ、Ｂ、Ｃよりも、評価が高く、着心地が良好であることが分かった。また、ランニング時の乳房の揺れも５段階で評価した。揺れないと感じた時は１であり、数字が大きいほど揺れ感があり最大は５である。１０人の評価の合計を出した。比較用の３種類のブラジャーＡ、Ｂ、Ｃについて同様の試験を行い、比較した。この結果を図９に示す。これにより、本発明によるブラジャーは、比較用の３種類のブラジャーＡ、Ｂ、Ｃよりも、揺れ感が低く、ホールド性が高いことが分かった。
【符号の説明】
【００４２】
１０  女性用上衣
１２  前身頃
１２ｃ  下端部
１４  後身頃
１４ｃ  下端部
１６  肩紐
１８  裏布
２２  カップ
２４  ゴムベルト
２６  テープ
２８  縫目
３２  伸展部
３４，３７  カップ支持部
３４ａ，３７ａ  端部
３５  背面保持部
３６，３９  跳ね上げ防止部
３８  引き上げ部
４０  生地
４２  低緊締部
４４  高緊締部
【図１】
2019019422.tif 000003
【図２】
2019019422.tif 000004
【図３】
2019019422.tif 000005
【図４】
2019019422.tif 000006
【図５】
2019019422.tif 000007
【図６】
2019019422.tif 000008
【図７】
2019019422.tif 000009
【図８】
2019019422.tif 000010
【図９】
2019019422.tif 000011